(57)【要約】【課題】  従来の電極の問題点を解消することにより、デザインの多様化に対応でき、安価、容易に製造でき、発生したマイナスイオンやオゾンを十分に拡散させることができ、且つコロナ放電方式によるマイナスイオンが正電極を通過する際に大量に消滅する欠点を補うマイナスイオン発生装置を提供することを課題とする。【解決手段】円環（リング）を１ヵ所又は複数カ所備えた正電極（図１）を有し、負電極の先端（図３の６）が前記正電極（図１の１）の中心近傍に位置している。更に、正電極（図１）を対抗電極としない単独負電極（図３の４，５）が負電極板（図２）に位置している。【選択図】図５
2009295561.tif 000002
【特許請求の範囲】
【請求項１】
金属製の円環（リング）を１個又は複数個を固定支柱で繋げた円環（リング）からなる正電極を有し、負電極の先端が前記正電極の近傍に位置していることを特徴とするマイナスイオン発生装置。
【請求項２】
金属板の一部を折り曲げる事により１箇所又は複数カ所の先端部が形成された負電極を有し、諸先端部の先端は鋭利であることを特徴とする請求項１記載のマイナスイオン発生装置。
【請求項３】
請求項２の金属板に絶縁素材で覆われた棒状の金属を立て、その先端は、前記負電極とは異なる場所に位置していることを特徴とするマイナスイオン発生装置。
【請求項４】
正電極は、金属製のバネ板を介して固定されていることを特徴とする請求項１記載のマイナスイオン発生装置。
【請求項５】
請求項１から請求項４のいずれかの請求項に記載のマイナスイオン発生装置用電極。
【請求項６】
請求項１から請求項４のいずれかの請求項に記載のマイナスイオン発生装置を備えたことを特徴とする電気機器
【発明の詳細な説明】
【技術分野】
【０００１】  本発明は、マイナスイオン発生装置及びそれに用いる電極に関するものである。
【背景技術】
【０００２】  マイナスイオン及びオゾンは、空気清浄、脱臭だけでなく植物及び水などの鮮度保持効果を期待できるとされており、近年ではマイナスイオンを発生される機能を備えたエアコン、空気清浄器、脱臭器等の機器が普及してきている。【０００３】  マイナスイオンを発生させる手段としてはコロナ放電式、水イオン化式、放射式などが知られているが、製造が簡単で扱いやすいコロナ放電式が最も多く利用されている。【０００４】  コロナ放電式は正電極と負電極に高電圧をかけることにより、電極間にコロナ放電を発生させ、それによりマイナスイオンを発生させている。コロナ放電式では同時にオゾンを発生させることができ、適量なオゾンを利用して脱臭、除菌をすることができる。【０００５】  コロナ放電式の正電極の形状としては平板状、円筒状、線状が一般的であり、負電極の形状としては針状のものが一般的である。【０００６】  線状の正電極は装置内の固定が容易であるが、発生させたマイナスイオンやオゾンを拡散させることが困難であるという問題がある。【０００７】  平板状の電極は、板厚が薄ければ薄いほど加工や固定が容易であるが、線状の電極と同様に発生させたマイナスイオンやオゾンを拡散させることが困難であるという問題がある。
一方、板厚が厚ければ厚いほどマイナスイオンやオゾンを拡散させることが出来るが、板の重量が大きくなり部品として機器に内臓することが困難になる。【０００８】  そのため、線状の電極や薄い平板電極を使ったマイナスイオンやオゾン発生装置においては装置内にファンやモータなどを使った送風装置を組み込んで風を発生させてマイナスイオンやオゾンなどを拡散させている。【０００９】  しかしながら、送風装置の稼動に必要な電力が別途必要となり、ファンの回転音などの騒音が生じてしまう。更に、ファンやモータを設置するスペースが必要となり装置の小型化が困難になってしまうとい問題がある。【００１０】  円筒状の電極の場合は、平板状の電極と異なり拡散に必要な気流を得る事はできるが、量産の関係で円筒の直径が一定であるため装置の大小やデザインの応用性が困難である。勿論異なった径の円筒電極を作ればよいが、そのたびに円筒の固定、保持部材を変更しなければならず、コストが高くついてしまう。【００１１】  又、タングステン線のような線状の電極は寿命が短く、集塵に対する洗浄もやりにくいという問題がある。
【特許文献１】特開１１−１９２０１号公報
【発明が解決しようとする課題】
【００１２】  そこで本発明は、従来の電極の問題点を解消することにより、デザインの多様化に対応でき、安価、容易に製造でき、発生したマイナスイオンやオゾンを十分に拡散させることができるマイナスイオン発生装置を提供することを課題とする。更には、このようなマイナスイオン発生装置を備えた電気機器を提供することを課題とする。
【課題を解決するための手段】
【００１３】  請求項１記載のマイナスイオン発生装置は、円環（リング）を１ヶ所又は複数カ所に配置した正電極（図１の１）を有し、負電極（図３の６）の先端が前記正電極（図１の１）近傍に位置していることを特徴とする。
【００１４】  これによれば、正電極（図１の１）は、基本形状がコイルやバネを切断したものであるので種類は豊富にあり、寿命が長く、洗浄も容易であり、特に大量製造される製品であるためコストは非常に安価である。
【００１５】  請求項３記載のマイナスイオン発生装置は、請求項２の負電極板（図３の３）に絶縁性の素材で覆った（図３の５）棒状の金属（図３の４）を立て、その棒状の先端は前記正電極（図１の１）に離れた位置又は状態で位置することを特徴とする。
【００１６】  これによれば、コロナ放電は負電極（図３の６）から正電極（図１の１）に向かって放電する際に正電極で大量のマイナスイオンを吸収、消滅するため、失ったマイナスイオンを補うことを特徴とする。
【００１７】  請求項４記載のマイナスイオン発生装置は、正電極（図１）が、バネ板（図４の７）に着脱可能に取り付けられていることを特徴とする。
【００１８】  集塵機能を有する正電極（図１）を装置から容易に着脱できるため、正電極（図１）が集塵により汚れても装置から外して水洗い、拭き取り等の手段で容易に清掃するこができる。
【００１９】  請求項５記載のマイナスイオン発生装置用電極（図１）は、円環（リング）（図１の１）を１ヵ所又は複数カ所備え金属からなることを特徴とする。
【００２０】  これを用いれば請求項１〜請求項４に記載のマイナスイオン発生装置を製作することが出来る。基本形状が円環（リング）（図１の１）であるので外形やデザインの変更が容易であるため、装置のデザインの応用度が非常に高い。
【００２１】  請求項６記載の電気機器は、請求項１、請求項４のマイナスイオン発生装置を備えたことを特徴とする。
【００２２】  これによれば請求項１〜請求項４のマイナスイオン発生装置は小型化でき、デザインの自由度も高く、装置への取付も容易であるため、単に空気清浄器又は脱臭器として使用するだけでなく、水処理器、エアコン、冷蔵庫、洗濯機、照明器具、除湿機、加湿器、掃除機、トレーニング機器等の電気機器に組み込んで使用するにも適している。
特に、天井に設置するダウウンライト型照明器具の筐体内に設置することで、マイナスイオンの直進性とオゾンの空気より重いという特性を利用して室内の空気環境の浄化に使用する。
【発明の効果】
【００２３】  以上述べたように本発明を用いれば、発生したマイナスイオンやオゾンをモーターやファンを使用せずに拡散させることが出来る気流が生じる正電極を用意且つ安価に製作することが出来る。又、基本形状が円環（リンク）であるので寿命が長く、集塵による清掃も容易である。
しかもこの正電極は、円環形状の変更が容易で、しかもモーターやファンなどの送風装置を必要としないためマイナスイオン発生装置のデザインの自由度が向上すると共に、小型化を図る事ができる。
更に、このようなデザインの多様性、小型化、取付易さの特徴を活かすことによりエアコンや掃除機などの各種電気機器にマイナスイオン発生装置を組み込むことも容易となる。
【発明を実施するための最良の形態】
【００２４】  以下、本発明を好適な実施例を用いて説明する。
【実施例１】
【００２５】  図１は、本実施例に用いた正電極の平面図である。【００２６】  正電極（図１の１）は、直径３ｍｍの太さの金属を用いて直径２６ｍｍの一重の円環（リンク）とする。素材はチタン鋼材又はステンレスを使用している。本実施例では、正電極（図１の１）を一重の円環（リング）としたが二重としても良い。又、円環（リング）を形成する金属の形状は円形に限定されるものではない。つまり、円環（リング）を構成する金属の形状は、楕円形状、かまぼこ形状、台形形状、平板形状などの円環（リング）でもよい。これらの円環（リング）を形成する金属の外周に段差をつけることで固定支柱を固定しやすい。これは、アクセサリーの指輪に似たものである。【００２７】  尚、円環（リング）の数、大きさや配置はマイナスイオン発生装置の大きさ、デザインやマイナスイオンの発生量等を考慮して適宜定める事ができる。円環（リング）の位置、大きさ、数等が異なる正電極を作る場合でも加工は容易であるので、デザイン変更や機能の変更にも容易に対応することができる。【００２８】  図２は負電極（図２の３）が平板鋼板から打ち抜かれた状態を示す平面図であり、この状態から先端部（図３の６）を折り曲げ位置で折り曲げることにより完成する。図３は先端部（６）が折り曲げられて完成した状態を示す側面図である。
４ヵ所の先端部はいずれも同じ側に約９０°曲げられている。【００２９】  実施例では負電極板（図２の３）の厚さを０．５ｍｍとしたが、電極形状が細長くなるような場合には電極の強度を確保するために更に大きな厚み、例えば１ｍｍ以上としても良い。【００３０】  実施例の負電極の棒状（図３の４）の直径（太さ）を３ｍｍとしたが、強度が確保できるのであれば棒状の太さを１ｍｍ以上としても良い。【００３１】  負電極の先端部（図３の６）は放電しやすいように尖らすことが好ましい。本実施例のように切断により先端部を鋭利に形成するのが容易であるが、勿論他の手段、例えば研磨により先端を鋭利にしても良い。【００３２】  負電極板（図３の３）も基本形状が板状であるため装置に直接固定できる。又、従来のような複数の針状電極や、その保持部材、針状電極を繋ぐ配線が不要であり、部品数を少なくする事ができるので装置への取付が容易となる。更に、デザイン変更や改良等に伴う設計変更も容易であり、電極形状を適当な形状にするだけで対応することができる。【００３３】  本実施例では一枚の金属平板から打ち抜いて製作したが、複数の金属部材を溶接する等して製作してもよい。例えば、２つの部材を交差させて交差箇所を溶接又は圧着するようにして十字形の負電極を製作しても良い。【００３４】  図５は電極の配置と配線を説明する図である。【００３５】  本実施例では集塵機能を有する正電極（図１）を洗浄することを考慮して、正電極（図１）バネ板（図４の７）に着脱可能に取り付けられるようにした。【００３６】  各電極の配置については、組み込んだ際に正電極（図１）の円環（リング）（図１の１）の中心付近に負電極（図３の６）の先端部が対抗するようにした。【００３７】  但し、棒状の負電極（図３の４）は、一方の端が板状負電極に接して固定されているが、対抗正電極を持たずに配置されている。そのために、棒状電極（図３の４）は周囲を絶縁性の素材（図３の５）で覆われて一方の端は正電極より高い位置に配置されている。これは、正電極（図１）に向かって放電しないようにするためである。【００３８】  負電極先端部（図３の６）と正電極（図１）との間隔が近いほどマイナスイオンやオゾンの発生が発生しやすい。只、通常の空気清浄器の場合、オゾンの発生量が多すぎることは好ましくないので、本実施例ではオゾンの発生量が適当となるように両者の間隔を６．５ｍｍとした。【００３９】  高電圧発生装置（図５の８）により両電極に高電圧を負荷すると、負電極（図３の６）の先端部と正電極（図１の１）の円環の間にコロナ放電が生じマイナスイオンとオゾンが発生する。【００４０】  但し、前記コロナ放電によって発生するマイナスイオンは、負電極（図３の６）から正電極（図１の１）に向かって放電する際にマイナスイオンを形成する電子の非常に多くの量が正電極（図１の１）で吸収され消滅する。この消滅を補うために棒状電極（図３の４）の先端部でマイナスイオンだけを生成する。【００４１】  この棒状電極（図３の４）の先端部で発生したマイナスイオンは、正電極（図１）を対極としていないためにイオン気流が発生しない。この発生したマイナスイオンは、正電極を対極としている鋭利な先端部をもつ��電極（図３の６）から発生するイオン気流に乗せることで拡散することができ、正電極（図１）を通過する際に消滅するマイナスイオンの量を補う役割を果たす。【００４２】  本実施例では放電により十分な気流が生じるため、ファン、モータ等の送風装置を別途使用しなくても発生したマイナスイオンとオゾンを拡散させることができる。送風装置を使用しないため、送風装置稼動のための電力は不要であり騒音も生じない。気流に乗ったマイナスイオンとオゾンは円環（図１の１）を通って装置外部に放出され、室内の空気清浄に寄与する。【００４３】  正電極（図１）には帯電した塵、花粉、カビ胞子など空気中に浮遊する塵芥が付着するが、付着した塵芥などが多くなれば正電極を洗浄すればよい。洗浄としては水流で洗い流してもよいし、不敷布等で拭き取ってもよい。【００４４】  本実施例の正電極（図１の１）は円環であり、繋ぐための支柱（図１の２）のみのため円筒状や線状に比べれば洗浄は容易である。【００４５】  又、先述したように正電極（図１）は洗浄しやすいようにバネ板（図４の７）で着脱可能としているため、装置本体から分離して洗浄することが出来る。集塵機能を有する正電極（図１）は、洗浄により繰り返し使用できるため新品に交換しなければならないフィルタより経済的である。【００４６】  本実施例のマイナスイオン発生装置は、それ自体を単独に空気清浄器又は脱臭器として使用してもよいが、水処理器、エアコン、冷蔵庫、洗濯機照明器具特にダウンライトの筐体、除湿機、加湿器、複写機、掃除機、トレーニング機器等の電気機器に組み込んで使用してもよい。
【実施例２】
【００４７】  （図示せず）
本実施例は負電極として針状電極を用いた以外は実施例１と同様のマイナスイオン発生装置を製作した。【００４８】  実施例１に比べるとマイナスイオンの発生の点では同等の効果が得られるが、複数の針状電極とそれらの保持部材と、配線が必要となるのでどうしても部品数は増えてしまう。その点において実施例１の方が製作が容易である。【００４９】  別途送風装置を使用することがなくマイナスイオンやオゾンを拡散できることや正電極の取り付け、洗浄、形状変更が容易である点については実施例１と同様の効果が得られる。
【産業上の利用可能性】
【００５０】  以上述べたように本発明を用いれば、発生したマイナスイオンやオゾンを拡散させることができる気流が生じる正電極を用意且つ安価に製作することができる。又、基本形状が円環であるので寿命が長く、専用の保持部材などを用いなくても容易に固定することができ、更に清掃も容易である。【００５１】  しかもこの正電極は外形の変更が容易で、しかもファンやモータなどの送風装置を必要としないためマイナスイオン発生装置のデザインの自由度が向上すると共に、小型化を図ることもできる。【００５２】  更に、このようなデザインの多様性、小型化、取り付けやすさという特徴を活かすことにより水処理機、エアコン、除湿器などの各種電気機器にマイナスイオン発生装置を組み込む事が容易となる。
【図面の簡単な説明】
【００５３】
【図１】  正電極の平面図
【図２】  負電極の平面図
【図３】  負電極の側面図
【図４】  正負電極の組み立て図
【図５】  電極の配置と配線を説明する図
【符号の説明】
【００５４】  １  円環正電極
２  円環電極の固定支柱
３  負電極板
４  棒状負電極
５  棒状電極の絶縁皮膜
６  負電極の鋭利な先端部
７  正電極固定用バネ板
８  高電圧発生装置
【図１】
2009295561.tif 000003
【図２】
2009295561.tif 000004
【図３】
2009295561.tif 000005
【図４】
2009295561.tif 000006
【図５】
2009295561.tif 000007